(57)【特許請求の範囲】
【請求項１】
高周波発生手段と；
高周波発生手段の高周波出力により付勢される直列接続された複数の放電ランプと；
高周波発生手段および放電ランプの間に直列に介在する限流用誘導性リアクタンスと；
各放電ランプに並列接続されている容量性リアクタンスであって高周波出力に対して限流用誘導性リアクタンスと共振して一部の放電ランプが間引かれている状態では間引かれた放電ランプに並列接続されている容量性リアクタンスが残余の放電ランプに対して直列接続して残余の放電ランプに並列接続されている容量性リアクタンスが限流用誘導性リアクタンスと直列共振して残余の放電ランプの両端間に始動するのに十分な電圧が現れるように作用する複数の容量性リアクタンスと；
を具備していることを特徴とする放電ランプ点灯装置。
【請求項２】
放電ランプのランプ電圧を検出するランプ電圧検出手段と；
ランプ電圧検出手段の検出出力が所定値を超えたときに高周波発生手段の出力を制御する制御手段と；
を具備していることを特徴とする請求項１記載の放電ランプ点灯装置。
【請求項３】
高周波発生手段は、可飽和変流器を用いた自励発振形の一石式インバータであることを特徴とする請求項１または２記載の放電ランプ点灯装置。
【請求項４】
一部の放電ランプを取り外したときに主として残余の放電ランプと直列に接続されてランプ電流を調整するランプ電流調整用インピーダンスを具備していることを特徴とする請求項１ないし３のいずれか一記載の放電ランプ点灯装置。
【請求項５】
ランプ電流調整用インピーダンスは、容量性リアクタンスを介して放電ランプに並列接続されていることを特徴とする請求項１ないし４のいずれか一記載の放電ランプ点灯装置。
【請求項６】
放電ランプは、一対の電極がフィラメント電極であり；
ランプ電流調整用インピーダンスは、少なくとも一部の放電ランプの一方のフィラメント電極に並列接続されていることを特徴とする請求項１ないし４のいずれか一記載の放電ランプ点灯装置。
【請求項７】
照明装置本体と；
照明装置本体に支持された請求項１ないし６のいずれか一記載の放電ランプ点灯装置と；
を具備していることを特徴とする照明装置。
【発明の詳細な説明】
【０００１】
【発明の属する技術分野】
本発明は放電ランプを高周波で点灯する複数の放電ランプを備えた放電ランプ点灯装置およびこれを用いた照明装置に関する。
【０００２】
【従来の技術】
放電ランプの点灯電源に対して放電ランプおよび限流用誘導性リアクタンスの直列回路を複数並列接続した多灯並列点灯回路方式は既知である。この回路方式の場合には、一部の放電ランプを間引いても残余の放電ランプは点灯する。
【０００３】
しかし、多灯並列点灯回路方式は、個々の放電ランプごとに限流用誘導性リアクタンスを必要とするので、その分高価になる。
【０００４】
これに対して、放電ランプの点灯電源に対して複数の放電ランプを直列接続して共通の限流用誘導性リアクタンスを介して点灯電源に接続する多灯直列点灯回路方式も既知である。この回路方式の場合には、一部の放電ランプを間引いて残余の放電ランプを点灯することができない。
【０００５】
そこで、特開昭５７−８４５９８号公報には、多灯直列点灯回路方式において、一部の放電ランプを間引いて残余の放電ランプを点灯可能に改良した放電ランプ点灯装置が開示されている。
【０００６】
【発明が解決しようとする課題】
しかし、多灯直列点灯回路方式の上記従来技術は、点灯回路にスイッチを設けて１灯間引き時に残余の放電ランプを点灯させる構成であるから、スイッチが必要であるとともに、間引き可能な放電ランプが一義的に決まってしまうという致命的問題がある。
【０００７】
本発明は、多灯直列点灯回路方式でありながら任意所望の放電ランプをスイッチを必要としないで間引き、残余の放電ランプを点灯することが可能な放電ランプ点灯装置およびこれを用いた照明装置を提供することを主たる目的とする。
【０００８】
また、本発明は、さらに間引き点灯時にランプ電流を所要値に、しかも自動的に調整可能な放電ランプ点灯装置およびこれを用いた照明装置を提供することを副次的な目的とする。
【０００９】
【課題を達成するための手段】
請求項１の発明の放電ランプ点灯装置は、高周波発生手段と；高周波発生手段の高周波出力により付勢される直列接続された複数の放電ランプと；高周波発生手段および放電ランプの間に直列に介在する限流用誘導性リアクタンスと；各放電ランプに並列接続されている容量性リアクタンスであって高周波出力に対して限流用誘導性リアクタンスと共振して一部の放電ランプが間引かれている状態では間引かれた放電ランプに並列接続されている容量性リアクタンスが残余の放電ランプに対して直列接続して残余の放電ランプに並列接続されている容量性リアクタンスが限流用誘導性リアクタンスと直列共振して残余の放電ランプの両端間に始動するのに十分な電圧が現れるように作用する複数の容量性リアクタンスと；を具備していることを特徴としている。
【００１０】
本発明および以下の各発明において、特に指定しない限り用語の定義および技術的意味は次による。
【００１１】
＜高周波発生手段について＞
本発明において、「高周波」とは、点灯装置の小形化、軽量化およびまたはランプ効率向上を目的とする点から、本発明においては１０ＫＨｚ以上とする。しかし、好適にはスイッチング手段のスイッチング損失およびコストの観点から４０ＫＨｚ〜５００ＫＨｚである。
【００１２】
高周波発生手段は、高周波を発生するものであれば、どのような構成であってもよいが、インバータを用いるのが望ましい。
【００１３】
インバータは、一石式インバータ、並列インバータ、ハーフブリッジインバータ、フルブリッジインバータまたは上記各インバータの変形などどのようなインバータであってもよい。
【００１４】
また、インバータは、自励および他励のいずれの形式であってもよい。
【００１５】
さらに、インバータから高周波出力を得るには、絶縁形の出力トランスを介してもよいし、直結形式であってもよい。なお、後者の場合には、直流カットコンデンサを放電ランプと直列に接続して直流成分が負荷回路に流れるのを阻止すればよい。
【００１６】
さらにまた、入力電流の高力率化および高調波低歪化のために、非平滑化整流電源とインバータの入力端との間にチョッパなどのアクティブフィルタを介在させることができる。またはこれに代えて、インバータのスイッチング手段の高周波スイッチングを利用して平滑化直流電圧を得るように構成した複合化インバータを用いることもできる。
【００１７】
さらにまた、高周波発生手段は、放電ランプを始動するに先だって、フィラメント電極を所要に予熱するために、所定期間高周波出力を絞って専らフィラメント予熱だけが行われるように制御することができる。
【００１８】
さらにまた、高周波発生手段は、複数の放電ランプを良好に始動するために、始動期間中高周波出力を高めるとともに、全ての放電ランプが始動可能な合理的な始動時間を予め設定することができる。
【００１９】
＜複数の放電ランプについて＞
複数の放電ランプは、一対の電極を備えて電極間で放電が行われるものであれば、特定の構成のものに限定されない。電極は、冷陰極、セラミックス電極およびフィラメント電極などであることを許容する。しかし、本発明は、フィラメント電極を備えた低圧放電ランプ、特に低圧のガスまたは水銀蒸気放電ランプの好適である。この種の放電ランプとしては、たとえば蛍光ランプ、殺菌ランプなどである。
【００２０】
また、放電ランプは、その複数が限流用誘導性リアクタンスとともに直列接続されて高周波発生手段の出力端間に接続されるが、複数の放電ランプが全て一つの直列回路を形成しなければならないというものではなく、要すれば複数の放電ランプの直列回路を複数並列接続することが許容される。ただし、この場合、各直列回路に対してそれぞれ後述する限流用誘導性リアクタンスが直列に接続されていなければならない。
【００２１】
さらにまた、複数の放電ランプを直列接続するに際して、各放電ランプは同一品種のものであることは好ましいことであるが、必須要件ではない。たとえば、環形蛍光ランプのＦＣＬ３０形は定格ランプ電流が０．６Ａで、ＦＣＬ３２形は同じく０．４２５Ａであるが、これらを直列接続して、いずれかの定格ランプ電流またはそれらの平均値のランプ電流で点灯することができる。
【００２２】
＜限流用誘導性リアクタンスについて＞
限流用誘導性リアクタンスは、これに直列接続した放電ランプに対してそれぞれの負特性を補償して一定のランプ電流を当該放電ランプに流すために用いられる。
【００２３】
また、限流用誘導性リアクタンスは、所要値のインダクタンスであれば、チョークコイルおよび漏洩トランスなど具体的な構成については限定されない。限流用誘導性リアクタンスとして漏洩トランスを用いる場合に、当該トランスは高周波発生手段の出力トランスを兼ねていることを許容する。
【００２４】
さらに、限流用誘導性リアクタンスは、前記したように放電ランプが複数の直列回路を並列接続する際には、各直列回路に対してそれぞれ接続されるので、複数用いられる。
【００２５】
さらにまた、限流用誘導性リアクタンスは、インダクタンスのみでなく、要すれば容量性リアクタンスまたはおよび抵抗との複合回路であっても、全体として誘導性のリアクタンスが勝っている、すなわち誘導性リアクタンスであればよい。
【００２６】
＜複数の容量性リアクタンスについて＞
複数の容量性リアクタンスは、各放電ランプに並列接続されている。そして、いずれかの放電ランプを間引いた際に、間引いた放電ランプに並列接続している容量性リアクタンスが残余の放電ランプと直列に接続される。
【００２７】
また、容量性リアクタンスは、コンデンサのみでなく、全体として容量性リアクタンスであれば、誘導性リアクタンスなどを含んでいてもよい。
【００２８】
さらに、容量性リアクタンスは、放電ランプがフィラメント電極を備えている場合、フィラメント電極の両端間に他の電流調整用インピーダンスを接続している場合など、すなわち要すればフィラメント電極を介して放電ランプに並列接続されていてもよい。この場合、放電ランプを間引くと、容量性リアクタンスは、電流調整用インピーダンスを直列に介して残余の放電ランプに直列に接続される。
【００２９】
また、電流調整用インピーダンスが放電ランプに直列接続されている場合、容量性リアクタンスは、電流調整用インピーダンスを介して並列接続していてもよい。
【００３０】
以上から理解できるように、残余の放電ランプのランプ電流を所望に調整するために、電流調整用インピーダンスを用いることができる。
したがって、電流調整用インピーダンスを残余の放電ランプのランプ電流を所望に調整するために、利用することができる。
【００３１】
＜本発明の作用について＞
本発明において、複数の放電ランプが間引かれないで直列に接続した状態で始動する際には、各放電ランプにそれぞれ並列接続している容量性リアクタンスが高周波発生手段から発生した高周波に対して限流用誘導性リアクタンスと適度に直列共振するので、容量性リアクタンスの両端に始動するのに十分な電圧が現れる。これにより複数の放電ランプは始動して点灯する。
【００３２】
なお、始動に際しては、予めフィラメント電極を予熱するために、高周波発生手段の出力を所定期間の間、前もって絞り、その間にフィラメント電極を予熱することができる。
【００３３】
次に、いずれか一部の放電ランプを間引いた場合、放電ランプを間引いた部位においては、放電ランプと並列接続していた容量性リアクタンスが残余の放電ランプに対して直列接続する。このため、残余の放電ランプの電極間に並列接続している容量性リアクタンスに対して、間引いた放電ランプに並列接続している容量性リアクタンスを介して高周波が印加されるので、前者の容量性リアクタンスが限流用誘導しリアクタンスと適度に直列共振して、その両端電圧が高くなる。この共振電圧が残余の放電ランプに印加される結果、残余の放電ランプは始動する。
【００３４】
以上の記述から、直列接続している複数の放電ランプは、そのうちの任意所望の放電ランプを間引いても、残余の放電ランプが良好に始動して点灯できることを理解できる。
【００３５】
複数の放電ランプを直列接続するに際して、定格ランプ電流の異なる放電ランプを用いることができることについては前述したとおりであるが、定格ランプ電流が異なると、始動電圧も異なることが多い。このような場合には、放電ランプに並列接続する容量性リアクタンスの値を、放電ランプの始動電圧に見合う直列共振電圧が得られるようにそれぞれ選択すればよい。
【００３６】
また、本発明においては、複数の放電ランプの個々に対して限流用誘導性リアクタンスを共通に作用させることができるので、回路部品が少なくなり、放電ランプ点灯装置を安価に提供することができる。しかも、既に述べたように、任意所望の放電ランプを間引いて点灯することができる。
【００３７】
請求項２の発明の放電ランプ点灯装置は、請求項１記載の放電ランプ点灯装置において、放電ランプのランプ電圧を検出するランプ電圧検出手段と；ランプ電圧検出手段の検出出力が所定値を超えたときに高周波発生手段の出力を制御する制御手段と；を具備していることを特徴としている。
【００３８】
複数の放電ランプの直列回路から一部の放電ランプを間引くと、一般に残余の放電ランプに流れるランプ電流が増加するとともに、放電ランプの直列回路の両端のランプ電圧が上昇する傾向にある。
【００３９】
そこで、本発明においては、放電ランプのランプ電圧を検出して、その検出値が所定値を超えたときに高周波発生手段を制御して、その出力を低減することにより、残余の放電ランプに対するランプ電流を適正値にしようとするものである。
【００４０】
また、本発明によると、放電ランプが寿命末期になった際にも、高周波発生手段を制御することにより、安全に保護動作を行わせることができる。すなわち、放電ランプが寿命末期になると、ランプ電圧が上昇するので、そのランプ電圧を検出して高周波発生手段の高周波出力を制御して、放電ランプが放電を維持できないか、減光するか、または間欠的に放電するようにする。
【００４１】
なお、ランプ電圧の検出値が所定値を超えたか否かを判定するために、ランプ電圧検出手段と制御手段との間に判定手段を配設することができる。
【００４２】
請求項３の発明の放電ランプ点灯装置は、請求項１または２記載の放電ランプ点灯装置において、高周波発生手段は、可飽和変流器を用いた自励発振形の一石式インバータであることを特徴としている。
【００４３】
一石式インバータは、一つのスイッチング手段を用いて直流をオン、オフさせて交流に変換する回路形式のインバータであって、出力電圧を正弦波にするためには、スイッチングの基本周波数に共振するＬＣ共振回路を備えている。
【００４４】
また、高周波出力は、出力トランスを介するか、直流カットコンデンサを介して取り出すことができる。
【００４５】
自励発振形は、高周波発生手段の自身の回路動作からスイッチング手段のドライブ信号を帰還的に得る回路方式である。
【００４６】
本発明において、自励発振は、過飽和変流器を介して高周波出力を帰還してドライブ信号を得るように構成されている。過飽和変流器を用いる場合、２次巻線のインピーダンスを制御することにより、飽和時間を可変にして発振周波数を制御することができる。
【００４７】
そうして、本発明においては、過飽和変流器を用いた自励発振形の一石式インバータを高周波発生手段として用いることにより、回路構成が簡単になり、安価な放電ランプ点灯装置を得ることができる。
【００４８】
また、一石式インバータは、ＬＣ共振回路により出力電圧波形を正弦波にするとともに、高い共振電圧を得ることができるので、直列点灯であっても所要の始動電圧を容易に得られる。
【００４９】
さらに、一石式インバータは、ソフトスイッチングが行われるので、ノイズ発生が少ない。
【００５０】
請求項４の発明の放電ランプ点灯装置は、請求項１ないし３のいずれか一記載の放電ランプ点灯装置において、一部の放電ランプを取り外したときに主として残余の放電ランプと直列に接続されてランプ電流を調整するランプ電流調整用インピーダンスを具備していることを特徴としている。
【００５１】
本発明は、一部の放電ランプを間引いた際に残余の放電ランプに流れるランプ電流を調整するための請求項２とは異なる構成を規定している。
【００５２】
複数の放電ランプの直列回路から一部の放電ランプを間引くと、一般に残余の放電ランプに流れるランプ電流が増加するとともに、放電ランプの直列回路の両端のランプ電圧が上昇する傾向にあることは請求項２の説明において述べたとおりであるが、放電ランプを主として間引いたときに残余の放電ランプに直列にランプ電流調整用インピーダンスを接続することにより、ランプ電流の増加を所要値に抑制することができる。
【００５３】
「主として間引いたときに」とは、一部の放電ランプを間引いたときにのみを意味するだけでなく、放電ランプを間引かないときにも放電ランプに対して接続されているが、このようなときには放電ランプに対する影響が少なく、一部の放電ランプが間引かれたときに、明かなランプ電流調整作用を発揮する場合をも含む。
【００５４】
直列接続される複数の放電ランプが異なる定格ランプ電流のときには、間引かれて残った放電ランプの定格ランプ電流が流れるようにランプ電流調整用インピーダンスを選択することができる。
【００５５】
ランプ電流調整用インピーダンスの接続の態様としては、以下に示す構成がある。
【００５６】
（１）放電ランプに並列接続される容量性リアクタンスを介して放電ランプに並列接続されるように接続する。（請求項５参照）
（２）放電ランプのフィラメント電極に並列接続する。（請求項６参照）
（３）放電ランプに直列接続されるとともに、容量性リアクタンスが放電ランプおよびランプ電流調整用インピーダンスの直列回路に対して並列接続される。
【００５７】
請求項５の発明の放電ランプ点灯装置は、請求項１ないし４のいずれか一記載の放電ランプ点灯装置において、ランプ電流調整用インピーダンスは、容量性リアクタンスを介して放電ランプに並列接続されていることを特徴としている。
【００５８】
本発明は、ランプ電流調整用インピーダンスの接続位置を容量性リアクタンスを介して放電ランプに並列接続される位置に規定している。
【００５９】
本発明は、複数の放電ランプが同一定格である場合に好適である。なぜなら、ランプ電流調整用インピーダンスは、いずれの放電ランプに対しても共通に直列に接続されるからである。しかし、要すれば、定格ランプ電流が異なる放電ランプを直列接続する態様において、本発明を適用することを許容する。
【００６０】
請求項６の発明の放電ランプ点灯装置は、請求項１ないし４のいずれか一記載の放電ランプ点灯装置において、放電ランプは、一対の電極がフィラメント電極であり；ランプ電流調整用インピーダンスは、少なくとも一部の放電ランプの一方のフィラメント電極に並列接続されていることを特徴としている。
【００６１】
ランプ電流調整用インピーダンスは、その両端が接続されているフィラメント電極を備えている放電ランプが間引かれた際に、残余の放電ランプに容量性インピーダンスとともに、直列接続される。したがって、放電ランプごとにランプ電流を調整することが可能になる。
【００６２】
また、ランプ電流調整用インピーダンスは、放電ランプのフィラメント電極と並列に接続されるので、当該フィラメント電極に流れるフィラメント加熱電流を調整する作用も奏する。
【００６３】
さらに、ランプ電流調整用インピーダンスは、一部の放電ランプの一方または両方の
フィラメント電極に並列接続されているのであってもよい。
【００６４】
請求項７の発明の照明装置は、照明装置本体と；照明装置本体に支持された請求項１ないし６のいずれか一記載の放電ランプ点灯装置と；を具備していることを特徴としている。
【００６５】
本発明の照明装置は、放電ランプの発光を何らかの目的で利用する全ての装置を含む広い概念である。各種照明器具、画像表示装置、殺菌灯装置、光触媒応用装置などを含む。
【００６６】
【発明の実施の形態】
以下、本発明の実施の形態を図面を参照して説明する。
【００６７】
図１は、本発明の放電ランプ点灯装置の第１の実施形態を示す回路図である。
【００６８】
図において、ＡＳは低周波交流電源、ａｂは交流入力端子、ＲＤＣは整流化直流電源、ＳＭは平滑化手段、ＨＦＩは高周波発生手段、ｃ、ｄは高周波出力端、Ｌ１は限流用誘導性リアクタンス、ＤＬ１、ＤＬ２は放電ランプ、Ｃ１、Ｃ２は容量性リアクタンスである。
【００６９】
低周波交流電源ＡＳは、商用１００Ｖ交流電源である。
【００７０】
交流入力端子ａ、ｂは、低周波交流電源を入力して作動する放電ランプ点灯装置としての入力端子である。
【００７１】
整流化直流電源ＲＤＣは、全波整流回路からなり、低周波交流電源ＡＳからの低周波交流電圧を整流して非平滑の整流化直流電圧を得る。
【００７２】
なお、低周波交流電源ＡＳと整流化直流電源ＲＤＣとの間にはノイズフィルタが介在しているが、この種放電ランプ点灯装置の慣用手段であるので、図示を省略している。
【００７３】
平滑化手段ＳＭは、平滑コンデンサや部分平滑回路、チョッパ回路などのアクティブフィルタが用いられる。
【００７４】
高周波発生手段ＨＦＩは、高周波インバータからなる。
【００７５】
高周波出力端ｃ、ｄは、高周波発生手段の出力端である。
【００７６】
限流用誘導性リアクタンスＬ１は、チョークコイルからなり、一端が高周波発生手段ＨＦＩの高周波出力端ｃに接続している。
【００７７】
放電ランプＤＬ１、ＤＬ２は、２灯直列接続されて限流用誘導性リアクタンスＬ１を直列に介して高周波出力端ｃ、ｄ間に接続されている。
【００７８】
容量性リアクタンスＣ１、Ｃ２は、それぞれコンデンサからなり、一方の容量性リアクタンスＣ１は一方の放電ランプＤＬ１に並列接続し、他方の容量性リアクタンスＣ２は他方の放電ランプＤＬ２に並列接続している。
【００７９】
次に、回路動作について説明する。
【００８０】
交流入力端子ａ、ｂを低周波交流電源ＡＳに接続すると、整流化直流電源ＲＤＣに非平滑化直流電圧が得られ、平滑化手段ＳＭで平滑化されて高周波発生手段ＨＦＩの入力端に供給される。
【００８１】
高周波発生手段ＨＦＩは、平滑化直流電圧の印加により起動して、高周波出力端ｃ．ｄ間に高周波出力が現れる。
【００８２】
限流用誘導性リアクタンスＬ１および容量性リアクタンスＣ１、Ｃ２は、適度の直列共振を起こす。その結果、容量性リアクタンスＣ１、Ｃ２の端子電圧が高くなる。
【００８３】
容量性リアクタンスＣ１、Ｃ２の端子電圧が高くなると、放電ランプＤＬ１、ＤＬ２は始動が促進され、いずれか一方が始動して点灯する。そして、次に他方の放電ランプも始動して点灯する。
【００８４】
そうして、放電ランプＤＬ１、ＤＬ２が点灯すると、容量性リアクタンスＣ１、Ｃ２は放電ランプＤＬ１、ＤＬ２によって実質的に短絡された状態になっている。
【００８５】
次に、いずれかの放電ランプたとえばＤＬ１が間引かれている場合には、間引かれた放電ランプＤＬ１に並列接続する容量性リアクタンスＣ１が容量性リアクタンスＣ２に直列接続するから、容量性リアクタンスＣ２の両端に共振による高い電圧が印加されるので、放電ランプＤＬ２は間引いてない場合と同様に始動し、点灯する。
【００８６】
放電ランプＤＬ２が間引かれている場合には、同様に容量性リアクタンスＣ１の両端に共振による高い電圧が印加されるので、放電ランプＤＬ１は同様に始動し、点灯する。
【００８７】
図２は、本発明の放電ランプ点灯装置の第２の実施形態を示す回路図である。
【００８８】
図において、図１と同一部分については同一符号を付して説明は省略する。また、ＶｌＤはランプ電圧検出手段、ＤＣは判定手段、ＣＣは制御手段である。
【００８９】
本実施形態は、一部の放電ランプの間引いた際に残余の放電ランプに流れる電流を適正化するとともに、放電ランプが寿命末期になった際に安全を図るように構成している点で異なる。
【００９０】
すなわち、ランプ電圧検出手段ＶｌＤは、一対の放電ランプＤＬ１、ＤＬ２の直列回路の両端間の電圧を検出する位置に接続され、検出出力を判定手段ＤＣに制御入力する。
【００９１】
判定手段ＤＣは、ランプ電圧検出手段ＶｌＤの出力が予め設定した値を超えたときに出力を生じて、それを判定して制御手段ＣＣに制御入力する。
【００９２】
制御手段ＣＣは、判定手段ＤＣからの出力が送出されたときに高周波発生手段ＨＦＩのドライブ回路を制御して高周波出力を絞る。
【００９３】
したがって、放電ランプＤＬ１、ＤＬ２の一部たとえばＤＬ１が間引かれると、ランプ電圧検出手段ＶｌＤの検出出力が増加する。
【００９４】
判定手段ＤＣにおいては、検出出力が予め設定したレベルを超えるので、判定出力を生じる。
【００９５】
制御手段ＣＣにおいては、判定出力の制御入力により、高周波発生手段ＨＦＩを制御して高周波出力を絞る。
【００９６】
その結果、残余の放電ランプＤＬ２は単独で、しかも適切なランプ電流で点灯する。
【００９７】
一方、いずれかの放電ランプが寿命末期になると、そのランプ電圧が増大するので、ランプ電圧検出手段ＶｌＤの出力が増加し、判定手段ＤＣおよび制御手段ＣＣが上記と同様に作動して高周波発生手段ＨＦＩのい出力を絞り、安全に保護する。
【００９８】
図３は、本発明の放電ランプ点灯装置の第３の実施形態を示す回路図である。
【００９９】
図において、図１と同一部分については同一符号を付して説明は省略する。
【０１００】
本実施形態は、限流用誘導性リアクタンスＬ１、複数の放電ランプＤＬ１、ＤＬ２の直列回路を複数並列接続している点で異なる。
【０１０１】
本実施形態においても、回路動作は基本的に同様である。すなわち、それぞれの直列回路の中で間引き点灯が可能である。
【０１０２】
図４は、本発明の放電ランプ点灯装置の第４の実施形態を示す回路図である。
【０１０３】
図において、図１と同一部分については同一符号を付して説明は省略する。
【０１０４】
本実施形態は、放電ランプＤＬ１、ＤＬ２がそれぞれフィラメント電極Ｆ１１、Ｆ１２およびＦ２１、Ｆ２２を備えているとともに、限流用誘導性リアクタンスＬ１にフィラメント加熱巻線ｗｘ、ｗｙ、ｗｚを磁気結合している点で異なる。
【０１０５】
すなわち、放電ランプＤＬ１、ＤＬ２のフィラメント電極Ｆ１２およびＦ２１は並列接続され、これらにフィラメント加熱巻線ｗｚが並列接続している。
【０１０６】
また、放電ランプＤＬ１のフィラメント電極Ｆ１１には、フィラメント巻線ｗｘが接続している。
【０１０７】
これに対して、放電ランプＤＬ２のフィラメント電極Ｆ２２には、フィラメント加熱巻線ｗｙが接続している。
【０１０８】
一方、容量性リアクタンスＣ１は、放電ランプＤＬ１のフィラメント電極Ｆ１１、Ｆ１２の一端間に接続している。
【０１０９】
また、容量性リアクタンスＣ２は、放電ランプＤＬ２のフィラメント電極Ｆ２１、Ｆ２２の一端間に接続している。
【０１１０】
そうして、各放電ランプＤＬ１、ＤＬ２のフィラメント電極Ｅ１１、Ｅ１２、Ｅ２１、Ｅ２２は、フィラメント巻線ｗｘ、ｗｙ、ｗｚにより加熱される。
【０１１１】
図５は、本発明の放電ランプ点灯装置の第５の実施形態を示す回路図である。
【０１１２】
図において、図４と同一部分については同一符号を付して説明は省略する。
【０１１３】
本実施形態は、容量性リアクタンスＣ１、Ｃ２がともにランプ電流調整用インピーダンスＺ１を直列に介してフィラメント電極Ｆ１２、Ｆ２１の一端に接続している点で異なる。
【０１１４】
すなわち、いずれかの放電ランプＤＬ１またはＤＬ２が間引かれると、残余の放電ランプに対してランプ電流調整用インピーダンスＺ１が直列に接続される。このため、残余の放電ランプには容量性リアクタンスに加えてランプ電流調整用インピーダンスＺ１が直列接続されるので、ランプ電流の増加が抑制される。
【０１１５】
上記作用は、いずれの放電ランプＤＬ１またはＤＬ２のいずれが間引かれても同様である。
【０１１６】
図６は、本発明の放電ランプ点灯装置の第６の実施形態を示す回路図である。
【０１１７】
図において、図５と同一部分については同一符号を付して説明は省略する。
【０１１８】
本実施形態は、各放電ランプＤＬ１、ＤＬ２と直列にランプ電流調整用インピーダンスＺ２、Ｚ３を接続している点で異なる。
【０１１９】
すなわち、ランプ電流調整用インピーダンスＺ２は、放電ランプＤＬ１のフィラメント電極Ｆ１１と限流用誘導性リアクタンスＬ１との間に直列接続されている。
【０１２０】
また、ランプ電流調整用インピーダンスＺ３は、放電ランプＤＬ２のフィラメント電極Ｆ２２と高周波出力端ｄとの間に直列接続されている。
【０１２１】
容量性リアクタンスＣ１は、ランプ電流調整用インピーダンスＺ２および放電ランプＤＬ１に対して並列接続されている。
【０１２２】
同様に容量性リアクタンスＣ２は、放電ランプＤＬ２およびランプ電流調整用インピーダンスＺ３に対して並列接続されている。
【０１２３】
そうして、放電ランプＤＬ１、ＤＬ２がともに間引かれないでいるときには、ランプ電流調整用インピーダンスＺ２およびＺ３が放電ランプＤＬ１、ＤＬ２に対して直列に挿入されている。
【０１２４】
これに対して、放電ランプＤＬ１が間引かれると、ランプ電流調整用インピーダンスＺ３が放電ランプＤＬ２に直列接続される。同様に放電ランプＤＬ２が間引かれると、ランプ電流調整用インピーダンスＺ２が放電ランプＤＬ１に直列接続される。すなわち、ランプ電流調整用インピーダンスＺ２は、放電ランプＤＬ２を間引いたときに放電ランプＤＬ１のランプ電流を調整する。同様にランプ電流調整用インピーダンスＺ３は、放電ランプＤＬ２のランプ電流を調整する。
【０１２５】
図７は、本発明の放電ランプ点灯装置の第７の実施形態を示す回路図である。
【０１２６】
図において、図６と同一部分については同一符号を付して説明は省略する。
【０１２７】
本実施形態は、各放電ランプＤＬ１、ＤＬ２と直列にランプ電流調整用インピーダンスＺ４が接続されているとともに、放電ランプＤＬ１のフィラメント電極Ｆ１１に並列にランプ電流調整用インピーダンスＺ５が接続されている。また、同様に放電ランプＤＬ２のフィラメント電極Ｆ２２に並列にランプ電流調整用インピーダンスＺ６が接続している。
【０１２８】
容量性リアクタンスＣ１は、放電ランプＤＬ１のフィラメント電極Ｆ１１およびＦ１２の間に接続されている。
【０１２９】
また、限流用誘導性リアクタンスＬ１には、一対のフィラメント巻線ｗｘ、ｗｙが磁気結合される。フィラメント巻線ｗｘは、フィラメント電極Ｅ１２に接続されている。同様に、フィラメント巻線ｗｙは、フィラメント電極Ｅ２１に接続されている。
【０１３０】
これに対して、容量性リアクタンスＣ２は、ランプ電流調整用インピーダンスＺ４および放電ランプＤＬ２の直列部分に対して並列接続されている。
【０１３１】
そうして、放電ランプＤＬ１、ＤＬ２が間引かれていないときには、フィラメント電極Ｅ１１、Ｅ２２は、フィラメント電極Ｅ１１、容量性リアクタンスＣ１、Ｃ２およびフィラメント電極Ｅ２２の経路で形成されるフィラメント加熱回路を流れる電流により加熱される。また、フィラメント電極Ｅ１２、Ｅ２１は、フィラメント巻線ｗｘ、ｗｙによって加熱される。そして、放電ランプＤＬ１、ＤＬ２の点灯中、ランプ電流はランプ電流調整用インピーダンスＺ４のみを直列に介して流れる。
【０１３２】
これに対して、放電ランプＤＬ１が間引かれると、放電ランプＤＬ２のフィラメント電極Ｅ２１はフィラメント巻線ｗｙにより加熱されるが、フィラメント電極Ｅ２２は電流調整用インピーダンスＺ５、容量性リアクタンスＣ１、Ｃ２およびフィラメント電極Ｅ２２の経路で形成されるフィラメント加熱回路を流れる電流により加熱される。そして、放電ランプＤＬ２の点灯中、ランプ電流ランプは、電流調整用インピーダンスＺ５、容量性リアクタンスＣ１およびランプ電流調整用インピーダンスＺ４を介して流れる。したがって、ランプ電流調整用インピーダンスＺ５は、放電ランプＤＬ２のランプ電流を調整するように設定すればよい。
【０１３３】
一方、放電ランプＤＬ２が間引かれると、放電ランプＤＬ１のランプ電流は、放電ランプＤＬ１、容量性リアクタンスＣ２およびランプ電流調整用インピーダンスＺ６を介して流れる。したがって、ランプ電流調整用インピーダンスＺ６は、放電ランプＤＬ１のランプ電流を調整するように設定すればよい。
【０１３４】
なお、ランプ電流調整用インピーダンスＺ４は、放電ランプＤＬ１およびＤＬ２の直列点灯時のランプ電流を調整するように設定する。
【０１３５】
図８は、本発明の放電ランプ点灯装置の第８の実施形態を示す回路図である。
【０１３６】
図において、図７と同一部分については同一符号を付して説明は省略する。
【０１３７】
本実施形態は、各放電ランプＤＬ１、ＤＬ２に並列接続する容量性リアクタンスＣ１、Ｃ２を利用してフィラメント加熱回路を構成するとともに、ランプ電流調整用インピーダンスＺ４に代えてＺ７およびＺ８を接続している点で異なる。
【０１３８】
すなわち、フィラメント電極Ｆ１１、容量性リアクタンスＣ１およびフィラメント電極Ｆ１２を直列接続して、放電ランプＤＬ１のフィラメント加熱回路ＦＨＣ１を形成している。
【０１３９】
また、フィラメント電極Ｆ２１、容量性リアクタンスＣ２およびフィラメント電極Ｆ２２を直列接続して、放電ランプＤＬ２のフィラメント加熱回路ＦＨＣ２を形成している。
【０１４０】
これに対して、ランプ電流調整用インピーダンスＺ７をフィラメント電極Ｆ１２に並列している。
【０１４１】
また、ランプ電流調整用インピーダンスＺ８をフィラメント電極Ｆ２１に並列している。
【０１４２】
そうして、放電ランプＤＬ１、ＤＬ２が直列接続している状態において、フィラメント予熱時には、ランプ電流調整用インピーダンスＺ５、Ｚ６、Ｚ７およびＺ８は作用しないので、フィラメント加熱電流は、容量性リアクタンスＣ１、Ｃ２により決定する。
【０１４３】
また、点灯時において、ランプ電流調整用インピーダンスＺ５、Ｚ６、Ｚ７およびＺ８は作用しないので、このときのランプ電流は、限流誘導性リアクタンスＬにより決定する。なお、高周波発生手段ＨＦＩの出力電圧の影響は無視している。
【０１４４】
次に、放電ランプＤＬ１が間引かれていると、フィラメント予熱時の予熱電流は、ランプ電流調整用インピーダンスＺ５およびＺ７に、容量性リアクタンスＣ１およびＣ２により決定する。
【０１４５】
また、点灯時において、ランプ電流は、ランプ電流調整用インピーダンスＺ５およびＺ７と、容量性リアクタンスＣ１とで決定される。
【０１４６】
同様に、放電ランプＤＬ２が間引かれていると、予熱電流は、容量性リアクタンスＣ１およびＣ２と、ランプ電流調整用インピーダンスＺ８およびＺ６とで決定される。また、点灯時のランプ電流は、ランプ電流調整用インピーダンスＺ８およびＺ６と、容量性リアクタンスＣ２とで決定される。
【０１４７】
なお、以上の説明において、ランプ電流調整用インピーダンスＺ５およびＺ６のフィラメント加熱電流の分流作用については、省略しているが、実際はそのインピーダンスとフィラメント電極の抵抗との値に応じて分流作用を奏する。
【０１４８】
図９は、本発明の放電ランプ点灯装置の第９の実施形態を示す回路図である。
【０１４９】
図１０は、同じくランプ電圧検出手段を示す回路図である。
【０１５０】
図１１は、同じく判定手段を示す回路図である。
【０１５１】
図１２は、同じく制御手段を示す回路図である。
【０１５２】
図１３は、同じく平滑化手段を示す回路図である。
【０１５３】
各図において、図２と同一部分については同一符号を付して説明は省略する。
【０１５４】
本実施形態は、図２に示す実施態様をさらに実際的にした回路の一例を示すものである。
【０１５５】
すなわち、高周波発生手段ＨＦＩを一石式インバータによって構成するとともに、ランプ電圧検出手段ＶｌＤと制御手段ＣＣとの間に判定手段ＤＣを介在させ、
平滑化手段ＳＭを部分平滑回路により構成している。以下、主な相違点を中心に説明する。
【０１５６】
＜高周波発生手段ＨＦＩについて＞
高周波発生手段ＨＦＩは、図９に示すように、インダクタＬ２、スイッチング手段Ｑ１、ダイオードＤ１、コンデンサＣ３、共振コンデンサＣ４、過飽和変流器ＳＣＴおよびゲートドライブ回路ＧＤＣを備えている。
【０１５７】
インダクタＬ２は、スイッチング手段Ｑ１に直列接続して平滑化手段ＳＭの出力端間に接続されている。
【０１５８】
スイッチング手段Ｑ１は、バイポーラ形トランジスタからなる。
【０１５９】
ダイオードＤ１は、スイッチング手段Ｑ１のコレクタ・エミッタ間に逆並列に接続している。
【０１６０】
コンデンサＣ３は、スイッチング手段Ｑ１のコレクタ・エミッタ間に並列接続している。
【０１６１】
共振コンデンサＣ４は、インダクタＬ２およびスイッチング手段Ｑ１の直列回路に並列接続し、インダクタＬ２と共振回路を形成している。
【０１６２】
過飽和変流器ＣＴは、１次巻線ｐの一端が高周波出力端ｄに接続し、他端がインダクタＬ２およびスイッチング手段Ｑ１の接続点に接続している。
【０１６３】
ゲートドライブ回路ＧＤＣは、過飽和変流器ＣＴの２次巻線ｓ、コンデンサＣ５、Ｃ６およびＭＯＳＦＥＴＱ２を備えている。
【０１６４】
２次巻線ｓは、その一端がスイッチング手段Ｑ１のベースに接続している。
【０１６５】
コンデンサＣ５は、その一端が２次巻線ｓの他端に接続し、他端がスイッチング手段Ｑ１のエミッタに接続している。
【０１６６】
コンデンサＣ６は、その一端が２次巻線ｓの他端に接続している。
【０１６７】
ＭＯＳＦＥＴＱ２は、そのドレインがコンデンサＣ６の他端に接続し、ソースがスイッチング手段Ｑ１のエミッタに接続している。また、ＭＯＳＦＥＴＱ２のゲート・ソース間に抵抗器Ｒ１１およびコンデンサＣ１２
の直列回路を接続している。
【０１６８】
＜ランプ電圧検出手段ＶｌＤについて＞
ランプ電圧検出手段ＶｌＤは、図１０に示すように、放電ランプＤＬ２および限流用誘導リアクタンスＬ１の接続点と、スイッチング手段Ｑ１のエミッタとの間に接続され、倍電圧整流回路を主体として構成されている。
【０１６９】
すなわち、抵抗器Ｒ１、Ｒ２、コンデンサＣ７、Ｃ８、ダイオードＤ２、Ｄ３およびＤ４を備えている。抵抗器Ｒ１、コンデンサＣ７およびダイオードＤ２の直列回路が放電ランプＤＬ２および限流用誘導リアクタンスＬ１の接続点と、スイッチング手段Ｑ１のエミッタとの間に接続されている。
【０１７０】
ダイオードＤ２の両端にダイオードＤ３およびコンデンサＣ８の直列回路が接続されている。ダイオードＤ２とＤ３とは逆並列な極性である。
【０１７１】
コンデンサＣ８に並列に抵抗器Ｒ２が接続されている。
【０１７２】
そうして、抵抗器Ｒ２の両端間にランプ電圧の検出出力が得られ、判定手段ＤＣに制御入力する。
【０１７３】
また、検出出力は、ダイオードＤ４を介して制御手段ＣＣに制御入力するように構成されている。
【０１７４】
＜判定手段ＤＣについて＞
判定手段ＤＣは、図１１に示すように、抵抗器Ｒ３、Ｒ４、Ｒ５、ツェナーダイオードＺＤ１、コンデンサＣ９、ダイオードＤ５およびバイポーラトランジスタＱ３を備えている。
【０１７５】
抵抗器Ｒ３、ツェナーダイオードＺＤ１、抵抗器Ｒ４およびＲ５は直列回路を形成していて、抵抗器Ｒ３の図において上側の一端が平滑化手段ＳＭの正極に接続し、抵抗器Ｒ５の図において下側の一端が負極に接続している。
【０１７６】
抵抗器Ｒ５に並列にコンデンサＣ９を接続し、さらにバイポーラトランジスタＱ３のベース・エミッタを接続する。
【０１７７】
バイポーラトランジスタＱ３のコレクタが判定出力端を構成していて、ドライブ回路のＭＯＳＦＥＴＱ２のゲートに接続している。
【０１７８】
ツェナーダイオードＺＤ１および抵抗器Ｒ３の接続点をダイオードＤ５を介してランプ電圧検出手段ＶｌＤの出力端に接続している。
【０１７９】
＜制御手段ＣＣについて＞
制御手段ＣＣは、バイポーラトランジスタＱ４、抵抗器Ｒ６、Ｒ７、Ｒ８、Ｒ９、１３、分圧抵抗器Ｒ１０、コンデンサＣ１０、Ｃ１１、ダイオードＤ６およびツェナーダイオードＺＤ２、ＺＤ３を備えている。
【０１８０】
抵抗器Ｒ６およびツェナーダイオードＺＤ２、ＺＤ３は、直列回路を形成し、抵抗器Ｒ６の図において左端が平滑化手段ＳＭの正極に接続し、ツェナーダイオードＺＤ３の陽極が平滑化手段ＳＭの負極に接続している。
【０１８１】
ツェナーダイオードＺＤ２、ＺＤ３に並列に、抵抗器１３、バイポーラトランジスタＱ４、分圧抵抗器Ｒ１０、抵抗器Ｒ７およびダイオードＤ６の直列回路と、抵抗器Ｒ８と、コンデンサＣ１０とを並列接続している。
【０１８２】
抵抗器Ｒ９およびコンデンサＣ１１の並列回路をバイポーラトランジスタＱ４のベースと平滑化手段ＳＭの負極との間に接続している。
【０１８３】
＜その他の構成について＞
（１）ＮＦは、ノイズフィルタで、低周波交流電源ＡＳおよび整流化直流電源ＲＤＣの間に介在している。
【０１８４】
（２）コンデンサＣ１２は、高周波出力から直流成分を除去する直流カットコンデンサである。
【０１８５】
（３）放電ランプＤＬ１は、ＦＣＬ３０形環形蛍光ランプである。これに対して、放電ランプＤＬ２は、ＦＣＬ３２形環形蛍光ランプである。
【０１８６】
（４）容量性リアクタンスＣ１は６８００ｐＦ、Ｃ２は６２００ｐＦである。
【０１８７】
（５）限流用誘導性リアクタンスＬ１は、ランプ電流が放電ランプＤＬ２の定格ランプ電流０．４２５Ａになるような値に設定した。
【０１８８】
（６）ランプ電圧検出手段ＶｌＤの抵抗器Ｒ１およびコンデンサＣ７の接続点と、制御手段ＣＣの制御入力端との間がダイオードＤ７を介して接続されることにより、低周波交流電源電圧の変動に対して負帰還制御を行って高周波発生手段ＨＦＩの出力変動を低減している。
【０１８９】
＜回路動作について＞
回路動作は、主としてランプ電圧検出手段ＶｌＤ、判定手段ＤＣおよび制御手段ＣＣに関する動作を中心として以下説明する。
【０１９０】
ランプ電圧検出手段ＶｌＤは、放電ランプＤＬ１、ＤＬ２の両端に現れるランプ電圧を正負の各半サイクルにわたって検出し、それらの平均値が検出出力として抵抗器Ｒ２の両端間に現れる。そして、放電ランプＤＬ１、ＤＬ２が間引かれないで、かつ正常であるときには、ランプ電圧検出手段ＶｌＤの出力が小さい。
【０１９１】
一方、判定手段ＤＣは、抵抗器Ｒ３およびツェナーダイオードＺＤ１の接続点の電位よりランプ電圧検出手段Ｖｌｄの出力端の電位が低いときには、ダイオードＤ５がオンしているから、ツェナーダイオードＺＤ１がブレイクダウンしないため、判定出力はなく、バイポーラトランジスタＱ３がオフ状態にある。
【０１９２】
制御手段ＣＣは、バイポーラトランジスタＱ４がＡ級動作の増幅器として作動する。そして、分圧抵抗器Ｒ１０の分圧出力端が制御手段ＣＣの制御出力端である。さらに、制御手段ＣＣの制御出力端は、ゲートドライブ回路ＧＤＣのＭＯＳＦＥＴＱ２のゲートに抵抗器Ｒ１２を介して接続している。
【０１９３】
また、バイポーラトランジスタＱ４のベースには、ダイオードＤ７を介して電源電圧変動が負帰還されるので、バイポーラトランジスタＱ４を介して電源電圧変動に対して高周波発生手段ＨＦＩの出力は変動が少なくなるように制御される。
【０１９４】
さらに、加えてダイオードＤ４を介して高周波出力が負帰還されるので、始動時に過剰な高電圧が印加されるときには出力を下げて保護動作を行う。
【０１９５】
さらにまた、判定手段ＤＣの制御出力端が制御手段ＣＣの制御出力端に接続して、判定手段ＤＣに制御出力が生じたときに、ゲートドライブ回路ＧＤＣのＭＯＳＦＥＴＱ２を制御する。
【０１９６】
次に、低周波交流電源ＡＳを投入すると、抵抗器Ｒ６およびコンデンサＣ１０がタイマを形成しているので、コンデンサＣ１０の電位が充電により高くなるまで、バイポーラトランジスタＱ４の導通度が小さいので、分圧抵抗器Ｒ１０の分圧出力電圧が低い。このため、ＭＯＳＦＥＴＱ２のゲート電圧も低いので、過飽和変流器ＳＣＴの飽和時間が早くなって、発振周波数が高くなり、高周波発生手段ＨＦＩの出力は小さく絞られる。この時間に放電ランプＤＬ１、ＤＬ２のフィラメント電極の予熱が行われる。なお、図９においては、放電ランプＤＬ１、ＤＬ２のフィラメント電極の図示を省略している。
【０１９７】
コンデンサＣ１０の電圧が上昇すると、ツェナーダイオードＺＤ２、ＺＤ３によりクランプされて一定電圧がバイポーラトランジスタＱ４に印加されるようになり、これと同時に予熱時間が終了し、バイポーラトランジスタＱ４の導通度が高くなって高周波発生手段ＨＦＩの高周波出力が大きくなって放電ランプＤＬ１、ＤＬ２が始動する。
【０１９８】
ところで、放電ランプの一部たとえばＤＬ１が間引かれていると、ランプ電圧検出手段ＶｌＤの出力電圧が高くなり、判定手段ＣＣのツェナーダイオードＺＤ１がブレイクダウンするので、バイポーラトランジスタＱ３がオンする。これにより、制御手段ＣＣの分圧抵抗器Ｒ１０の分圧出力端の電圧が低くなるから、ゲートドライブ回路ＧＤＣのＭＯＳＦＥＴＱ２のゲート電圧が低くなり、これに伴って過飽和変流器ＳＣＴの飽和時間が短くなり、高周波発生手段ＨＦＩの出力が絞られる。残余の放電ランプＤＬ２のランプ電流が適正値に維持される。
【０１９９】
また、放電ランプＤＬ１、ＤＬ２のいずれかが寿命末期になると、ランプ電圧検出手段ＶｌＤの制御出力が増加するので、高周波発生手段ＨＦＩの高周波出力を絞って保護することができる。
【０２００】
＜平滑化手段ＳＭについて＞
平滑化手段は、図１３に示すように、インダクタＬ３および電解コンデンサＣ１３の直列回路をインダクタＬ２およびスイッチング手段Ｑ１の直列回路と並列に接続してなる。
【０２０１】
なお、コンデンサＣ１４、ダイオードＤ８および抵抗器Ｒ１２のより構成されている回路は、スイッチング手段Ｑ１に加わる高電圧を電解コンデンサＣ１３と供働してクランプするスナッバ回路である。
【０２０２】
そうして、インダクタＬ３および電解コンデンサＣ１３の定数を適切に選ぶと、イッチング手段Ｑ１の高周波スイッチングに伴って低周波交流電源電圧の半サイクルの谷間で振幅が大きくて、反対にピークで振幅が小さい高周波振動電圧が発生して低周波交流電源電圧に重畳する。
【０２０３】
この高周波振動電圧は、スイッチング手段Ｑ１の高周波スイッチングにより、共振回路を形成しているインダクタＬ２および共振コンデンサＣ４の閉回路内に自由振動が発生し、そのとき共振コンデンサＣ４の両端電圧にインダクタＬ３および平滑コンデンサＣ１３の直列回路が共振することにより生じる。このため、スイッチング手段Ｑ１に対して逆方向に共振電流がダイオードＤ１を流れ、次に極性が反転して順方向にスイッチング手段Ｑ１を共振電流が流れる際に、その一部が整流化直流電源ＲＤＣのダイオードＤ１５ないしＤ１８のうちＤ１５およびＤ１６から直接流入し、さらにその一部が電解コンデンサＣ１３を高周波電流として充電する。
【０２０４】
電解コンデンサＣ１３は、その結果上記高周波振動電圧の平均値で充電が行われ、平滑化された直流電圧が得られるとともに、高周波発生手段ＨＦＩに対して直流電源を供給する。
【０２０５】
図１４は、本発明の照明装置の一実施形態としてのコードペンダント形照明器具を示す断面図である。
【０２０６】
図において、１は照明器具本体、２Ａ，２Ｂは放電ランプとしての蛍光ランプである。
【０２０７】
照明器具本体１は、器具ケース１ａ、ペンダントコード１ｂ、引掛シーリングキャップ１ｃおよびセード１ｄを備えている。
【０２０８】
器具ケース１ａは、下面が膨出してその外面が反射面に形成され、内部にインバータを含む点灯回路１ａ１、コネクタ１ａ２、スイッチユニット１ａ３および常夜灯１ａ４を収納している。
【０２０９】
また、器具ケース１ａは、外部周縁にランプホルダ１ａ５を備えている。上面にコード吊下・収納装置１ａ６が配設されている。
【０２１０】
ペンダントコード１ｂは、下端部が器具ケース１ａのコード吊下・収納装置１ａ６内に引き込まれて、コネクタ１ａ２に接続されている。また、ペンダントコード１ｂの上端は、引掛シーリングキャップ１ｃに接続されている。そして、ペンダントコード１ｂおよび引掛シーリングキャップ１ｃを介して照明器具は天井から吊り下げられて使用される。
【０２１１】
照明器具の吊下長さは、ペンダントコード１ｂの余剰部をコード吊下・収納装置１ａ６内に収納することにより、所望の吊下高さに設定することができる。
【０２１２】
引掛シーリングキャップ１ｃは、天井に予め配設され、かつ電源に接続された引掛シーリングボディにワンタッチで着脱されて照明器具を機械的および電気的に接続することができる。
【０２１３】
蛍光ランプ２Ａは、ＦＣＬ３０形であり、２Ｂは、ＦＣＬ３２形である。
【０２１４】
これらの蛍光ランプ２Ａ、２Ｂは、ランプホルダ１ａ５に支持されるとともに、図示しないランプソケットを口金ピンに装着される。
【０２１５】
セード１ｄは、透光性合成樹脂からなり、笠形をなし、上端がコード吊下・収納装置１ａ６の周囲において係止して器具ケース１ａに支持されている。そして、蛍光ランプ２Ａ，２Ｂによる発熱で温度上昇したセード１ｄの内部の空気が通気孔１ｄ１を通じて照明器具外に排出されることにより、室内空気の熱対流によって冷却されるように構成されている。
【０２１６】
【発明の効果】
請求項１ないし６の各発明によれば、複数の放電ランプを直列接続し、限流用誘導性リアクタンスを介して高周波発生手段の高周波出力端に接続し、各放電ランプに並列接続されて高周波出力に対して限流用誘導性リアクタンスと共振し得る複数の容量性リアクタンスを具備し、かつ一部の放電ランプが間引かれている状態では間引かれた放電ランプに並列接続されている容量性リアクタンスが残余の放電ランプに対して直列接続して残余の放電ランプに並列接続されている容量性リアクタンスが限流用誘導性リアクタンスと直列共振して残余の放電ランプの両端間に始動するのに十分な電圧が現れるように作用することにより、任意所望の一部の放電ランプを間引いて点灯することが可能な放電ランプ点灯装置を提供することができる。
【０２１７】
請求項２の発明によれば、加えて放電ランプのランプ電圧検出手段とランプ電圧検出手段の検出出力が所定値を超えたときに高周波発生手段の出力を制御する制御手段ｂを備えていることにより、放電ランプを間引いたときにランプ電流を調整する放電ランプ点灯装置を提供することができる。
【０２１８】
請求項３の発明によれば、加えて高周波発生手段が過飽和変流器を用いた自励発振形の一石式インバータであることにより、回路構成が簡単で安価であるとともに、ＬＣ共振回路により高い正弦波の高周波出力を得る放電ランプ点灯装置を提供することができる。
【０２１９】
請求項４の発明によれば、加えて一部の放電ランプを間引いたときに主として残余の放電ランプと直列に接続されてランプ電流を調整するランプ電流調整用インピ−ダンスを具備していることにより、残余の放電ランプのランプ電流を調整した放電ランプ点灯装置を提供することができる。
【０２２０】
請求項５の発明によれば、加えてランプ電流調整用インピーダンスが容量性リアクタンスを介して放電ランプに並列接続されることにより、複数の放電ランプが同一定格の場合に好適な放電ランプ点灯装置を提供することができる。
【０２２１】
請求項６の発明によれば、加えてランプ電流調整用インピーダンスが放電ランプのフィラメント電極に並列接続されていることにより、残余の放電ランプごとにランプ電流を調整可能な放電ランプ点灯装置を提供することができる。
【０２２２】
請求項７の発明によれば、請求項１ないし６の発明の効果を有する照明装置を提供することができる。
【図面の簡単な説明】
【図１】本発明の放電ランプ点灯装置の第１の実施形態を示す回路図
【図２】本発明の放電ランプ点灯装置の第２の実施形態を示す回路図
【図３】本発明の放電ランプ点灯装置の第３の実施形態を示す回路図
【図４】本発明の放電ランプ点灯装置の第４の実施形態を示す回路図
【図５】本発明の放電ランプ点灯装置の第５の実施形態を示す回路図
【図６】本発明の放電ランプ点灯装置の第６の実施形態を示す回路図
【図７】本発明の放電ランプ点灯装置の第７の実施形態を示す回路図
【図８】本発明の放電ランプ点灯装置の第８の実施形態を示す回路図
【図９】本発明の放電ランプ点灯装置の第９の実施形態を示す回路図
【図１０】同じくランプ電圧検出手段を示す回路図
【図１１】同じく判定手段を示す回路図
【図１２】同じく制御手段を示す回路図
【図１３】同じく平滑化手段を示す回路図
【図１４】本発明の照明装置の一実施形態としてのコードペンダント形照明器具を示す断面図
【符号の説明】
ＡＳ…低周波交流電源
ａ…交流入力端子
ｂ…交流入力端子
ＲＤＣ…整流化直流電源
ＳＭ…平滑化手段
ＨＦＩ…高周波発生手段
ｃ…高周波出力端
ｄ…高周波出力端
Ｌ１…限流用誘導性リアクタンス
ＤＬ１…放電ランプ
ＤＬ２…放電ランプ
Ｃ１…容量性リアクタンス
Ｃ２…容量性リアクタンス
【図１】
0004103266.tif 000002
【図２】
0004103266.tif 000003
【図３】
0004103266.tif 000004
【図４】
0004103266.tif 000005
【図５】
0004103266.tif 000006
【図６】
0004103266.tif 000007
【図７】
0004103266.tif 000008
【図８】
0004103266.tif 000009
【図９】
0004103266.tif 000010
【図１０】
0004103266.tif 000011
【図１１】
0004103266.tif 000012
【図１２】
0004103266.tif 000013
【図１３】
0004103266.tif 000014
【図１４】
0004103266.tif 000015